(57)【要約】【課題】火や電気を用いることなく、ゲル状又は固形状の虫除け薬剤を用い、その減り具合を容易に確認する。【解決手段】容器本体１の内部に、同心状又は渦巻状に形成された多重の隔壁１５と、該隔壁１５ａ〜１５ｄ間で形成される空間の深さが外周側から中心方向に向けて順次深くなる逆錐形状又は階段形状の内底壁部１０とにより構成される薬剤充填部１６を設けることで、薬剤の蒸散に伴い、深さの浅い外周側から順次内底壁部１０の内面側が露出するようにして、薬剤１７の減少状況が容易に確認できるようにした。【選択図】図１
2005185252.tif 000002
【特許請求の範囲】
【請求項１】
底壁と周壁を有して上方が開口した容器本体の内部に、同心状又は渦巻状に形成された多重の隔壁と、該隔壁間で形成される空間の深さが外周側から中心方向に向けて順次深くなる逆錐形状又は階段形状の内底壁部とにより構成されるゲル状又は固形状の薬剤の薬剤充填部が設けられたことを特徴とする薬剤蒸散器。
【請求項２】
底壁と周壁を有して上方が開口した容器本体の内部に、同心状又は渦巻状に形成された多重の隔壁と、該隔壁間で形成される空間の深さが外周側から中心方向に向けて順次浅くなる錐形状又は階段形状の内底壁部とにより構成されるゲル状又は固形状の薬剤の薬剤充填部が設けられたことを特徴とする薬剤蒸散器。
【請求項３】
前記同心状又は渦巻状に形成された多重の隔壁の上端の高さが略同一であることを特徴とする請求項１又は２に記載の薬剤蒸散器。
【請求項４】
前記容器本体には、通気口を有する上蓋が装着されていることを特徴とする請求項１〜３の何れかに記載の薬剤蒸散器。
【発明の詳細な説明】
【技術分野】
【０００１】
本発明は、主として犬等のペット動物用の虫除け（防虫又は殺虫）薬剤蒸散器に関するものである。
【背景技術】
【０００２】
火をつけた状態の蚊取り線香を収容する線香容器は従来から周知である。例えば、この線香容器は、上方が開口する皿状の金属製の容器本体、金網等からなる線香支持体、前記容器本体に嵌着される金属製の上蓋を備えている。
その他、防虫薬剤を多孔質セラミックスに含浸させたもの、あるいは防虫薬剤である薬剤ゲルを単に容器に充填したもの等がある（例えば、特許文献１参照。）。
また、薬剤容器にインジケーターを備えたものでは、容器自体の目視できる形状変化により薬剤の揮発の進行状況を確認できるものがある（例えば、特許文献２参照。）。
【０００３】
また、残渣がほとんど発生しない組成物で対応することにより、使用の終了点を単に外観上で判断するものも多い（例えば、特許文献３参照。）。
【特許文献１】特開２００１−３０２４０９号公報（第６頁、図１）
【特許文献２】特開２００３−０８８２８９号公報（第７頁、図２）
【特許文献３】特開２００３−１５５３７７号公報（第１２頁、図１）
【発明の開示】
【発明が解決しようとする課題】
【０００４】
しかしながら、従来の蚊取り線香は火を使うため、特にペット用に使用する場合どうしても火傷や火災の心配がある。一方、液状の防虫薬剤では、ペットのいたずら等で薬剤が漏洩する惧れもあった。また、単に容器にゲル状の防虫薬剤（薬剤ゲル）を充填しただけものは、薬剤ゲルの減り具合が分かりにくいという欠点があった。
そこで、本発明は、上記問題点に鑑み、火や電気を使うことのなく、かつ薬剤漏洩の心配のない薬剤ゲル又は固形薬剤を用い、容器本体内の薬剤の減り具合が一目で分かるような、犬等のペット動物用その他の動物用の薬剤蒸散器を提供するようにしたものである。
【課題を解決するための手段】
【０００５】
この技術的課題を解決するための本発明の薬剤蒸散器は、底壁と周壁を有して上方が開口した容器本体の内部に、同心状又は渦巻状に形成された多重の隔壁と、該隔壁間で形成される空間の深さが外周側から中心方向に向けて順次深くなる逆錐形状又は階段形状の内底壁部とにより構成されるゲル状又は固形状の薬剤の薬剤充填部が設けられている点にある。また、これとは逆に、底壁と周壁を有して上方が開口した容器本体の内部に、同心状又は渦巻状に形成された多重の隔壁と、該隔壁間で形成される空間の深さが外周側から中心方向に向けて順次浅くなる錐形状又は階段形状の内底壁部とにより構成されるゲル状又は固形状の薬剤の薬剤充填部が設けられた点にある。
【０００６】
なお、前記同心状又は渦巻状に形成された多重の隔壁の上端の高さは同一とすることが好ましい。
更に、前記容器本体には、通気口を有する上蓋を装着してもよい。
【発明の効果】
【０００７】
本発明によれば、火や電気を用いるのではなく、薬剤ゲルを用いるため、火傷や火災の心配がない。そして、薬剤ゲルの減り具合が上方開口からでも一目で分かるため、交換時期等を的確に判断できる。
【発明を実施するための最良の形態】
【０００８】
以下、本発明の実施の形態を図面に基づいて説明する。
図１〜４は本発明の薬剤蒸散器の第１実施形態を示し、本実施形態では、薬剤蒸散器を構成する容器本体１に上蓋２が装着されるようになっている。
容器本体１は、底壁３と周壁２を有して、外観上、上方が開口した略丸皿形状であって、例えばポリプレン等の合成樹脂により成形されている。この実施形態の場合、容器本体１の直径は、１１１．６ｍｍ、高さは４０．２ｍｍである。
そして、前記周壁４の上端部には、外側に張り出すフランジ部５と、このフランジ部５から更に垂下して外周壁部６が設けられ、その外周壁部６の下端部には外方突出する凸部７が（全周に亘って、又は部分的に）設けられている。
【０００９】
また、前記周壁４の下部外面には、容器本体１の内側に没入する凹部８が容器本体１の直径方向に対称状に２箇所設けられている。
このように凹部８を設けたのは、容器本体１の直径が比較的大きい場合に手の小さな子女でも容器本体１を確実に持つことができるようにするためである。これによって、後述する上蓋２の容器本体１に対する装着、取り外しが容易となる。
一方、底壁３は、周底壁部９と内底壁部１０で構成される。
周底壁部９の下面側には、前記周壁４の２箇所に設けられた凹部８，８を結ぶ直径と直角方向に位置して、底凹部１１とフック孔１２が設けられている。
【００１０】
底凹部１１は、図４に示すようなポリプロピレン等の合成樹脂で一体成形された板状のフック１３が嵌る大きさ及び形状に窪んでおり、フック孔１２には、フック１３の突起１３ａを嵌入することで、このフック１３を容器本体１に取付けるようになっている。
フック１３は、前記突起１３ａを中心にして回動自在（又は着脱自在）であり、その回動位置決め手段ともなり得る前記底凹部１１の段差を乗り越えて回動することで、容器本体１の底壁３下面から出退自在である。すなわち、容器本体１を吊り下げて使用する場合は、図２のように容器本体１から突出させて、フック１３に設けた吊下げ孔１３ｂを用いて適宜ペットハウスの壁面等に容器本体１を吊り下げるように構成されている。吊り下げ使用しない場合は、フック１３は容器本体１の下面側に回動して収納し得るようになっている。
【００１１】
また、前記内底壁部１０は、周底壁部９から立設された内周壁部１４を介して逆円錐形状（すり鉢状）とされており、該内底壁部１０から複数の隔壁１５ａ〜１５ｄが立設されている。この隔壁１５ａ〜１５ｄは、容器本体１の周壁４と間隔を隔てて、本実施形態では同心円状に４重に形成されている。
内底壁部１０が逆円錐形状となっているので、各隔壁１５ａ〜１５ｄの間と内底壁部１０で構成される空間、すなわち、周壁部９側（外側）から１番目の第１隔壁１５ａと２番目の第２隔壁１５ｂ、第２隔壁１５ｂと３番目の第３隔壁１５ｃ、第３隔壁１５ｃと４番目の第４隔壁１５ｄ、並びに第４隔壁１５ｄの内部に生じる各空間の深さは、外側の第１隔壁１５ａから第４隔壁（中心方向）に向けて、次第に深くなっており、この各空間で薬剤ゲル充填部が構成される。
【００１２】
なお、各隔壁１５ａ〜１５ｄの各上端の高さｈ（容器本体１における底壁３からの高さ）は略同一である
そして、容器本体１の内部には、薬剤１７が、隔壁１５ａ〜１５ｄの各上端を超える位置Ｈまで充填される。従って、前記薬剤充填部１６及び周壁４と外側の第１隔壁１５ａの間にも薬剤１７が充填される。
薬剤１７としては、例えば、シトロネラ・ユーカリ等の２種混合天然ハーブを主成分とした蒸散特性のあるゲル状剤を用いる。これは、防虫或いは殺虫効果があるものの、間違ってペット動物等が食した場合でも毒性はない。また、薬剤ゲルは適宜着色（好ましくは除虫菊色に着色）してもよい。
【００１３】
なお、使用前においては、薬剤１７の蒸散を防止するため、容器本体１の上方開口は、フィルム等で密閉されている。また、容器本体１を本実施形態のようにポリプロピレンの成型品としておけば、薬剤１７に対する強い耐薬性を有する。
一方、上蓋２は、天井部２ａと、この天井部２ａの外周部の環状段差部２ｂと、この環状段差部２ｂの外周から垂下する外周壁部２ｃとからなり、全体を薄鋼板をプレス加工して製作されている。
天井部２ａには、多数の通気孔２ｄが中心をして対称に、かつ互い違いに３重に形成されている。上蓋２の直径は、例えば１２３ｍｍ、通気孔２ｄは直径９．５ｍｍ、通気孔２ｄ同士の間隔は３ｍｍとされている。上蓋２の表面であって通気孔２ｄ群の外側には、本薬剤蒸散器の品名や、効能等を刻印することができる（刻印は図示省略。）
また、外周壁部２ｃは、その下端に外側へ膨隆する巻込み膨隆部２ｅと、その上方には内側に突出するリブ２ｆとを有している。
【００１４】
なお、上蓋２の全表面は、錆止めと装飾を兼ねて、銅色、黄銅色、その他適宜の色彩の塗料で着色塗装されている。
使用に際しては、予め容器本体１の上方開口を覆うフィルム（図示省略）を剥がし、薬剤１７が蒸散する状態とした上で、容器本体１に上蓋２を装着する。
上蓋２の装着状態の詳細は、図３に示すように、上蓋２のリブ２ｆが、容器本体１の凸部７を弾性変形させつつ凸部７の下に「パチッ」と音を感じる程の好感触を生じて嵌める。この際、上蓋２の環状段差部２ｂの下面２ｇと容器本体１のフランジ部５の上面５ａとが面接触する。
【００１５】
なお、容器本体１に金属製の上蓋２を装着するのは、単にデザイン状の意味だけでなく、ペット動物等が本発明の薬剤蒸散器に噛み付いても、上蓋２の丈夫な構成材料と相まって、薬剤蒸散器全体を保護し、また中身の薬剤１７の飛散を防止する効果がある。特にペットが犬の場合は、上蓋２の複数の通気孔２ｄが邪魔になるため、噛み付きに対する忌避効果があることが実験により判明している。
そして、この薬剤蒸散器をペット動物の居所近傍に設置（床置き、あるいはフック１３を使用した吊り下げ設置）すれば、容器本体１内から蒸散する薬剤１７が、上蓋の通気孔２ｄ群を通じてペット動物の周囲に蒸散し、蚊等の害虫がペット動物に接近するのを防止し、又は殺虫する。
【００１６】
薬剤１７が減ってくると、次第に薬剤１７の充填上面１７’が低下し、隔壁１５ａ〜１５ｄの各上端が露呈する。
更に蒸散すると、薬剤充填部１６のうち、まず第１隔壁１５ａと第２隔壁１５ｂの間の底面１５ａ’が露呈する。さらに蒸散するに従って、順次底面１５ｂ’、１５ｃ’が露呈し、次に１５ｄ’が露呈することになる。それと同時に、周壁部４と第１隔壁１５ａ（内周壁部１４）の空間の周底壁部９の内面も露呈してくる。このように、薬剤１７の減り具合が薬剤蒸散器の上外方からも明確に分かる。この際、内底壁部１０の内面（１５ａ’，１５ｂ’，１５ｃ’，１５ｄ’）は、同心円状の外側から順次露呈してくるので、薬剤１７（取り替えカートリッジとしての容器本体１）の取り替え時期の判断の表示手段としてだけでなく、あたかも蚊取り線香のような趣があって、薬剤の減り具合そのものを楽しめる。
【００１７】
図５は、第２実施形態を示す断面図である。
第１実施形態の内底壁部１０が逆円錐形状とされているのに対し、本実施形態では、概略的には逆円錐形状ではあるものの、階段状に順次薬剤充填部１６の深さが変化して行く点で異なっている。すなわち、第１実施形態の各隔壁間の底面は傾斜しているのに対して本実施形態では第４隔壁内の底面１５ｄ’を除いて水平になっている点で異なるが、その他の構成は実質的に同様であるので、同一符号を付して詳細な説明は省略する。
なお、本発明は上記実施形態に限定されるものではない。
例えば、容器本体の形状は、略丸皿形状としたがこれに限るものではなく、底壁と周壁を有する容器形状であればよく、その材質もポリプロピレンに限定されるものではない。
【００１８】
また、隔壁は、同心円状に配置するものに限られず、同心の角状でも構わないし、渦巻状等であっても構わない。ここで渦巻状とは、一つの隔壁が渦巻き状となっており、この渦巻き状の隔壁に沿って、深さの浅い起点（最終）から順次傾斜して深さの深い部分を終点（起点）として形成されたものである。つまり、平面視で渦巻き状且つ側面視で螺旋状となっていれば、同心円状のものよりも、更に蚊取り線香の様相を呈して疑似製品としての面白みが増す。
また、上記実施形態では底壁３を構成する内底壁部１０を隔壁１５ａ〜１５ｄを立設した逆円錐形状としたが、この部分を別体で作成したものでも良い。なお、上記実施形態でとは逆の視点から、内底壁部１０を外周側から中心方向に向けて順次浅くなる錐形状又は階段形状とすることも考えられる。この場合は、上記実施形態とは逆に薬剤の減少に伴い、内底壁部１０の内面は、同心状又は渦巻き状の内側から順次露呈してくることになる。
【００１９】
また、薬剤１７は、前記のようにシトロネラ・ユーカリ等の２種混合天然ハーブに限定するものではなく、ゲル状でなくても蒸散性のある固形物も使用できる。そして、この薬剤蒸散器は、当然のことながら虫よけ（防虫・殺虫）に限らず、室内等の消臭芳香にも応用できる。
更に、上記実施形態では薬剤蒸散器としての容器本体１と上蓋２を例示しているが、容器本体１のみでの使用が勿論可能であり、また、別容器に容器本体１を収納し、この別容器に装着する通気孔を有する上蓋を用いても良い。
【００２０】
また、上蓋２は、例えば、透明又は半透明の合成樹脂製のものを使用することで、薬剤の減り具合をより一層確認し易くすることも可能である。
【図面の簡単な説明】
【００２１】
【図１】第１実施形態の薬剤蒸散器と上蓋を示す斜視図である。
【図２】上蓋を装着した状態の第１図Ａ−Ａ線断面矢視図である。
【図３】図２のＢ部の拡大図である。
【図４】（ａ）は、フックの側面図、（ｂ）は平面図である。
【図５】第２実施形態の図１に相当する断面図である。
【符号の説明】
【００２２】
１    容器本体
２    上蓋
３    底壁
４    周壁
１０  内底壁部
１５  隔壁
１６  薬剤充填部
１７  薬剤
【図１】
2005185252.tif 000003
【図２】
2005185252.tif 000004
【図３】
2005185252.tif 000005
【図４】
2005185252.tif 000006
【図５】
2005185252.tif 000007